(57)【要約】【課題】  動物などのキャラクターを形どり、水中に投入されると、明るく目立ち易く発光し、鳴き声や特種音を発し、さらに走行を開始するので、いかにも生きているような感覚を呈する遊戯具を提供すること。【解決手段】  浮遊性を有する樹脂を素材として半透明又は不透明に形成された容器に、任意色に発光する発光体と、任意音を発する共鳴装置と、回転軸にプロペラを取り付けたモーターと、バッテリーと接続するための回路とを収容し、前記回路と前記バッテリーの接点を分離して外部に露出する。【選択図】      図２
0003122554.tif 000002
【実用新案登録請求の範囲】
【請求項１】
浮遊性を有する樹脂を素材として半透明又は不透明に形成された容器に、任意色に発光する発光体と、任意音を発する共鳴装置と、回転軸にプロペラを取り付けたモーターと、それらをバッテリーと接続するための回路とを収容し、前記回路と前記バッテリーの接点を分離して外部に露出することで、該容器を水中に投入すると、前記接点が通電して前記ＬＥＤランプは発光し、前記共鳴装置は発声し及び前記プロペラが回転して走行することを特徴とする遊戯体。
【請求項２】
前記発光体が折曲げかつ固定可能な配線部材により前記回路と接続され、かつ前記バッテリーが前記容器内の底部略中央に配置されることを特徴とする請求項１に記載された遊戯体。
【請求項３】
前記プロペラが前記容器の底部に形成されるプロペラ収容部内において回転し、該プロペラ収容部の前方には入水口及び後方には排水口が開口されていることを特徴とする請求項１乃至２に記載の遊戯体。
【請求項４】
前記モーターが直下型モーターであり、前記プロペラはいわゆる板プロペラであることを特徴とする請求項１乃至３に記載の遊戯体。
【考案の詳細な説明】
【技術分野】
【０００１】
本考案は、水中に浮遊させると容器内から発光して鳴き声や特種音を発すると同時に、走行を開始して子供の水遊びの楽しさを倍増させることができる遊戯具を提供することを目的とする。
【背景技術】
【０００２】
従来から動物等を漫画的な立体に形とって遊戯具には多種多様のものがあるが、例えば、動物を水中に投入すると、容器内から発光すると共にその鳴き声や特種音を発して、いかにもその動物と遊ぶようなおもしろさを発揮する遊戯具が開発されている。
【０００３】
そして、そのような遊戯具は、共鳴装置、発光体と、それらをバッテリーと接続する回路を容器内に収容し、回路の接点部を外部に露出しておき、水中に投入するとバッテリーが通電するという工夫がされている。
【０００４】
【特許文献１】実用新案登録第３１１８３８０号
【０００５】
しかし、従来の遊戯具は、動物のあひるやかえるを漫画的な立体に形とったものがほとんどで、それらが発光と同時に鳴き声等を発するという意外性はあるものの、水面で浮遊した静止状態のままであるため、例えば、子供がその動物と一緒に水遊びをする場合におもしろさを発揮し難いものであった。
【０００６】
すなわち、浴室での水遊びならともかく、プールや湖などでは、動物の鳴き声等が聞こえ難くなり、かつ屋外の明るさで発光は目立ち難くなるため、水遊びのための遊戯具としてはより動作性があるものが要望とされていた。
【考案の開示】
【考案が解決しようとする課題】
【０００７】
本考案は、動物等の各種形状を漫画的な立体に形とり、水中に投入すると容器内から発光して鳴き声や特種音を発すると同時に、走行を開始して子供の水遊びの楽しさを倍増させることができる遊戯具を提供することを目的とする。
【課題を解決するための手段】
【０００８】
上記課題を解決するために、請求項１に記載された考案は、浮遊性を有する樹脂を素材として半透明又は不透明に形成された容器に、任意色に発光する発光体と、任意音を発する共鳴装置と、回転軸にプロペラを取り付けたモーターと、それらをバッテリーに接続するための回路とを収容し、前記回路と前記バッテリーの接点部を分離して外部に露出することで、該容器を水中に投入すると、前記接点部が通電して前記ＬＥＤランプは発光し、前記共鳴装置は発声し及び前記プロペラが回転して走行する遊戯体であることを特徴とする。
【０００９】
請求項２に記載された考案は、請求項１に記載の遊戯体において、前記発光体は？により前記回路に接続されると共に、前記共鳴装置は前記容器内の上方に、前記モーターは前記容器内の後方に、前記バッテリーは前記容器内の底部略中央にそれぞれ配置される遊戯体であることを特徴とする。請求項３に記載された考案は、請求項１乃至２に記載の遊戯体において、前記プロペラは前記容器の底部に形成されるプロペラ収容部内において回転し、該プロペラ収容部の前方には入水口及び後方には排水口が開口されたものであることを特徴とする。請求項４に記載された考案は、請求項１乃至３に記載の遊戯体において、前記モーターは回転軸を上下方向とする直下型モーターであり、前記プロペラはいわゆる板プロペラであることを特徴とする。
【考案の効果】
【００１０】
そのような本考案に係る遊戯具によれば、水中に投入されると、明るく目立ち易く発光し、鳴き声や特種音を発し、さらに走行を開始するので、動物などの遊戯具ではいかにも生きているような感覚を呈する。したがって、いかにも子供の水遊び等における遊戯具のおもしろさを倍増することができる。また、下部の約３分の１程度が水面下に沈むような水中で不安定な状態においても水中でも重量バランスを保つことができるので走行中に転倒することがない。さらに、共鳴装置やバッテリーの防水パッキングが十分にできるので、長期間の使用のみならず、バッテリーの交換使用も可能となる。くわえて、プロペラが外部に露出せず回転することができるので、子供が使用する遊戯具としての安全性も極めて高い。さらにくわえて、効率的に水を排出できるので、わずかの電源で長時間走行することができる。
【考案を実施するための最良の形態】
【００１１】
以下、本考案の好ましい実施の形態を図面により説明すると、図１（ａ）は、本考案に係る遊戯体の側面図、同（ｂ）は、その平面図、図２は、その横断面図、図３（ａ）、同（ｂ）は、本考案において使用可能なプロペラを示す図、図４（ａ）、同（ｂ）は、本考案に係る遊戯体に異なるプロペラを取り付けた状態を示す横断面図、図５は、本考案に係る遊戯体の使用状態を示す図、図６は、異なるデザインの本考案に係る遊戯体を示す図である。すなわち、遊戯体１０は、発光体１４ａ、１４ｂ、共鳴装置１２、モーター１６、その回転軸に取り付けられたプロペラ２０、バッテリー２２及びそれらを接続する電気基盤２４を容器１１内に収容して構成されるものである。
【００１２】
ここで、容器１１は、動物キャラクターとしてのかえるを漫画的に形どっており、浮遊性を有し、半透明又は不透明に形成される樹脂、例えば、ソフトＰＶＣを素材として、プレス切断、折曲等の公知の加工方法で形成される。
【００１３】
また、当初の容器１１の底部は開口されており（図示せず）、その部分に強度性や防水性に優れる樹脂、例えば、ＡＢＳ樹脂を素材とする遮断板２６が嵌め込まれた後、強力接着剤、例えば、ゴールデンタイガー（商標名）等を使用して接着する。このことにより、容器１１の内部は外部と完全に遮断され、防水パッキングが施されると共に遊戯具１０の浮遊に必要な空気を逃がさないようにすることが可能となる。
【００１４】
ここで、遮断板２６の上方には、発光体１４ａ、１４ｂを点滅することができる回路を構成した電気基盤２４が取り付けられ、また、該電気基盤２４には共鳴装置１２も接続され、通電すると発光体１４ａ、１４ｂの発光と共鳴装置１２の発声が同時に開始する。そして、電気基盤２４の接点２８は容器１１の表面に露出される。
【００１５】
さらに、容器１１において遮断板２６の下方には凹み状のバッテリーケース３２が形成され、バッテリー２２が収容される。バッテリーケース３２には前記遮断板２６同様の素材からなる底板３６により蓋がされること、さらにバッテリーケース３２の形状に合わせた四角形状のリングを嵌めこむことにより防水パッキングが施される。なお、バッテリー２２との接点３０も容器１１の表面に露出されるが、接点２８と接点３０はわずかに分離している。
【００１６】
発光体１４ａ、１４ｂとしては、例えば、白色、赤色、青色、緑色またはオレンジ色等の任意色に発光するＬＥＤランプを挙げることができ、発光体１４ａ、１４ｂは電気基盤２４上に折曲げかつ固定可能な配線部材２５を使用して接続される。このことにより、どのような形状の容器であっても、それに合わせて発光体１４ａ、１４ｂを位置させることができ、後述する遊戯具１０の重量バランスをとることができる。
【００１７】
一般的に最も重量を有するバッテリー２２は、容器１１の底部略中央に配置することが望ましい、水中に浮遊した遊戯具１０は、その重心が取り難く、加えて、走行を開始するとバランスを取ることが特に難しくなり、極端な場合には遊戯具１０は転倒してしまうからである。
【００１８】
一方、遊戯具１０がある程度の速度をもって走行するためには、遊戯具１０の全高の約３分の１が水中に沈むことが望ましい。後述する入水口４２から十分な水量が入水して、プロペラ４０が効率的に水を掻き出すことができるからである。したがって、前記遊戯具１０の重心と相まって、容器１１内には必要に応じて鉄製の錘を挿入し、その重量を微妙に調整する。
【００１９】
共鳴装置１２には、少なくとも直径２５ｍｍ以上の大きさを有する共鳴板を使用し、また、共鳴装置１２が取り付けられる容器１１の外壁には複数の水切り口３４が形成されることが望ましい。このことにより、鳴き声や特種音の音響を外部から聞き易く、野外等での水遊びにおいても十分な効果を発揮できるからである。また、共鳴装置１２は、それ自体に防水加工が施されることはもちろんであるが、やはり前記同様に、ＡＢＳ樹脂等を素材とする支持板４６を介して容器１１に接着し、共鳴装置１２の安定と容器１１内への水の浸入を防止する。
【００２０】
モーター１６としては、例えば、直下型モーターを使用する。また、プロペラ４５は、いわゆる板プロペラと呼ばれるもので、モーター３８の回転軸の先端に取り付けられ、容器１１の底部後方に形成されるプロペラ収容部４３内で水平方向に回転するよう構成する。また、プロペラ収容部４３の前方には入水口４２及び後方には排水口４４が開口され、プロペラ４５が回転すると入水口４２の下方より流入する水を排水口４４より掻き出し、水流を作ることで遊戯具１０は走行することができる。
【００２１】
なお、遊戯具１０の走行に直進性を持たせるため、容器１１の底面後方には方向舵１８を付けることが好ましい。
【００２２】
なお、モーター及びプロペラは図４（ａ）に示すような上下方向のみならず、同（ｂ）に示すような水平方向に取り付けることもできる。この場合のプロペラ４６にはいわゆる羽プロペラを使用する。
【００２３】
このような遊戯体１０を水中に投入すると、全高の約３分の１が水中に沈んだ状態で安定する。そして、水の通電により分離した接点２８、３０が通電し、ＬＥＤランプ１４ａ、１４ｂは発光を開始し、共鳴装置１２は発声し、プロペラ４５は回転を開始する。したがって、入水口４２の下方より流入する水を排水口４４より掻き出して、推進力が生じて遊戯体１９は走行を開始する。一方、遊戯体１０を水中から取り出すと、通電は終了し、ＬＥＤランプ１４ａ、１４ｂの発光等の全ての動作は停止する。この動作は、バッテリー２２が持続する限り繰り返すことができるので、その交換も可能であるから、遊戯体１０は繰り返し使用できる。
【００２４】
以上の如く、本考案をいくつかの実施形態によって説明したが、それらを以って本考案を前記実施形態のみに限定するものではなく、その精神を逸脱しない限り種々の改変を加えて、多種多様の変更ができることはいうまでもない。例えば、遊戯体の装飾的形状は前記したものに限定されるわけではなく、図５に示すようなあざらし６０等の他の動物形状、又はそれ以外の各種形状を採用できることはもちろんである。
【図面の簡単な説明】
【００２５】
【図１】本考案に係る遊戯体の側面図及びその平面図。
【図２】本考案に係る遊戯体の横断面図。
【図３】本考案に係る遊戯体に使用可能なプロペラを示す図。
【図４】本考案に係る遊戯体に異なるプロペラを取り付けた状態を示す横断面図
【図５】本考案に係る遊戯体の使用状態を示す図。
【図６】異なるデザインの本考案に係る遊戯体を示す図。
【符号の説明】
【００２６】
１０  遊戯体
１１  容器
１２  共鳴装置
１４  発光体
１６  モーター
１８  方向舵
２２  バッテリー
２４  ＰＢＣ回路
２５  配線部材
２６  遮断板
２８  接点
３０  接点
３２  バッテリーケース
３４  水切り口
３６  底板
４２  入水口
４３  プロペラ収容部
４４  排水口
４５  プロペラ
４６  プロペラ
４９  支持板
６０  あざらし
【図１】
0003122554.tif 000003
【図２】
0003122554.tif 000004
【図３】
0003122554.tif 000005
【図４】
0003122554.tif 000006
【図５】
0003122554.tif 000007
【図６】
0003122554.tif 000008